【手続補正書】
【提出日】平成19年12月14日(2007.12.14)
【手続補正１】
【補正対象書類名】明細書
【補正対象項目名】特許請求の範囲
【補正方法】変更
【補正の内容】
【特許請求の範囲】
【請求項１】  公衆網を介してファクシミリ送受信を行うと共にLANを介して複数のクライアントに接続された通信端末装置において、
前記公衆網を介してファクシミリ通信により画像を受信する受信手段と、
画像の送信先となる前記クライアントのメールアドレスに対応させ前記受信手段により受信された画像を電子メールの添付ファイルに変換する際の変換の仕方を示す登録情報を登録する登録手段と、
前記登録情報として画像の送信先のクライアントが登録されているか否かを判別する判別手段と、
前記登録手段に画像の送信先となるクライアントが登録されている場合は前記登録情報に基づいて配信用の電子メールを作成すると共に前記受信手段で受信した画像を画像ファイルに変換して前記電子メールに前記画像ファイルを添付する電子メール作成手段と、
前記画像ファイルが添付された電子メールを前記登録情報に基づいて前記送信先のクライアントに送信する送信手段とを備えることを特徴とする通信端末装置。
【請求項２】  前記登録情報は、前記電子メール送信時に前記画像ファイルを添付するか否かに関する情報を含むことを特徴とする請求項１記載の通信端末装置。
【請求項３】  前記登録情報は、前記電子メール送信時に添付される画像ファイルを前記画像ファイルの全部にするか、一部にするかに関する情報を含むことを特徴とする請求項１又は２記載の通信端末装置。
【請求項４】  前記登録情報は、前記電子メール送信時に添付される画像ファイルの符号化方式に関する情報を含むことを特徴とする請求項１乃至４のいずれか１項に記載の通信端末装置。
【請求項５】 前記登録情報は、前記受信手段により受信した画像をページごとに分割して画像ファイルに変換するか全てのページを１つのファイルとして変換するかを示す情報を含むことを特徴とする請求項１乃至５のいずれか１項に記載の通信端末装置。
【請求項６】  公衆網を介してファクシミリ送受信を行うと共にLANを介して複数のクライアントに接続された通信端末装置の通信方法において、
前記公衆網を介してファクシミリ通信により画像を受信する受信工程と、
画像の送信先となる前記クライアントのメールアドレスに対応させ前記受信手段により受信された画像を電子メールの添付ファイルに変換する際の変換の仕方を示す登録情報を登録する登録工程と、
前記登録情報として画像の送信先のクライアントが登録されているか否かを判別する判別工程と、
前記登録手段に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、
前記画像ファイルが添付された電子メールを前記登録情報に基づいて前記送信先のクライアントに送信する送信工程とを備えることを特徴とする通信端末装置の通信方法。
【請求項７】  前記登録情報は、前記電子メール送信時に前記画像ファイルを添付するか否かに関する情報を含むことを特徴とする請求項６記載の通信方法。
【請求項８】  前記登録情報は、前記電子メール送信時に添付される画像ファイルを前記画像ファイルの全部にするか、一部にするかに関する情報を含むことを特徴とする請求項6又は７記載の通信方法。
【請求項９】  前記登録情報は、前記電子メール送信時に添付される画像ファイルの符号化方式に関する情報を含むことを特徴とする請求項６乃至８のいずれか１項に記載の通信方法。
【請求項１０】 前記登録情報は、前記受信工程により受信した画像をページごとに分割して画像ファイルに変換するか全てのページを１つのファイルとして変換するかを示す情報を含むことを特徴とする請求項６乃至９のいずれか１項に記載の通信方法。
【請求項１１】  公衆網を介してファクシミリ送受信を行うと共にLANを介して複数のクライアントに接続された通信端末装置の通信方法を実行するプログラムを記憶する記憶媒体において、
前記通信方法は、前記公衆網を介してファクシミリ通信により画像を受信する受信工程と、
画像の送信先となる前記クライアントのメールアドレスに対応させ前記受信手段により受信された画像を電子メールの添付ファイルに変換する際の変換の仕方を示す登録情報を登録する登録工程と、
前記登録情報として画像の送信先のクライアントが登録されているか否かを判別する判別モ工程と、
前記登録手段に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、
前記画像ファイルが添付された電子メールを前記登録情報に基づいて前記送信先のクライアントに送信する送信工程とを備えることを特徴とする記憶媒体。
【請求項１２】 前記登録情報は、前記電子メール送信時に前記画像ファイルを添付するか否かに関する情報を含むことを特徴とする請求項１１記載の記憶媒体。
【請求項１３】 前記登録情報は、前記電子メール送信時に添付される画像ファイルを前記画像ファイルの全部にするか、一部にするかに関する情報を含むことを特徴とする請求項１１又は１２記載の記憶媒体。
【請求項１４】 前記登録情報は、前記電子メール送信時に添付される画像ファイルの符号化方式に関する情報を含むことを特徴とする請求項１１乃至１３のいずれか１項に記載の記憶媒体。
【請求項１５】 前記登録情報は、前記受信工程により受信した画像をページごとに分割して画像ファイルに変換するか全てのページを１つのファイルとして変換するかを示す情報を含むことを特徴とする請求項１１乃至１４のいずれか１項に記載の記憶媒体。
【手続補正２】
【補正対象書類名】明細書
【補正対象項目名】０００６
【補正方法】変更
【補正の内容】
【０００６】
【課題を解決するための手段】
上記目的を達成するために、請求項１記載の通信端末装置は、公衆網を介してファクシミリ送受信を行うと共にLANを介して複数のクライアントに接続された通信端末装置において、前記公衆網を介してファクシミリ通信により画像を受信する受信手段と、画像の送信先となる前記クライアントのメールアドレスに対応させ前記受信手段により受信された画像を電子メールの添付ファイルに変換する際の変換の仕方を示す登録情報を登録する登録手段と、前記登録情報として画像の送信先のクライアントが登録されているか否かを判別する判別手段と、前記登録手段に画像の送信先となるクライアントが登録されている場合は前記登録情報に基づいて配信用の電子メールを作成すると共に前記受信手段で受信した画像を画像ファイルに変換して前記電子メールに前記画像ファイルを添付する電子メール作成手段と、前記画像ファイルが添付された電子メールを前記登録情報に基づいて前記送信先のクライアントに送信する送信手段とを備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上記目的を達成するために、請求項６記載の通信方法は、公衆網を介してファクシミリ送受信を行うと共にLANを介して複数のクライアントに接続された通信端末装置の通信方法において、
前記公衆網を介してファクシミリ通信により画像を受信する受信工程と、画像の送信先となる前記クライアントのメールアドレスに対応させ前記受信手段により受信された画像を電子メールの添付ファイルに変換する際の変換の仕方を示す登録情報を登録する登録工程と、前記登録情報として画像の送信先のクライアントが登録されているか否かを判別する判別工程と、前記登録手段に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、前記画像ファイルが添付された電子メールを前記登録情報に基づいて前記送信先のクライアントに送信する送信工程とを備えることを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
上記目的を達成するために、請求項１１記載の記憶媒体は、公衆網を介してファクシミリ送受信を行うと共にLANを介して複数のクライアントに接続された通信端末装置の通信方法を実行するプログラムを記憶する記憶媒体において、前記通信方法は、前記公衆網を介してファクシミリ通信により画像を受信する受信工程と、画像の送信先となる前記クライアントのメールアドレスに対応させ前記受信手段により受信された画像を電子メールの添付ファイルに変換する際の変換の仕方を示す登録情報を登録する登録工程と、前記登録情報として画像の送信先のクライアントが登録されているか否かを判別する判別モ工程と、前記登録手段に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、前記画像ファイルが添付された電子メールを前記登録情報に基づいて前記送信先のクライアントに送信する送信工程とを備えることを特徴とする。